【手続補正書】
【提出日】平成18年9月5日(2006.9.5)
【手続補正１】
【補正対象書類名】明細書
【補正対象項目名】特許請求の範囲
【補正方法】変更
【補正の内容】
【特許請求の範囲】
【請求項１】
患者の識別情報として少なくとも氏名、生年月日、性別、血液型を蓄積し、当該患者の医療情報として少なくとも既往症履歴、診療記録、投薬情報を蓄積し、通信ネットワークを介してアクセスをしてきた要求者が当該患者の医療従事者か患者本人かを利用者リストと照合することによりチェックし、前記データベースより読み出した当該患者の医療情報より、前記要求者の権限に基づいて、出力してよい情報を取捨選択して出力する医療情報サーバ装置と、
前記医療情報サーバ装置と前記通信ネットワークを介して接続され、前記医療情報サーバ装置から出力された当該患者の前記医療情報を表示する医療情報端末装置と、
を有し、
前記医療情報サーバ装置は、前記医療情報端末装置から入力された患者に係わる前記医療情報を蓄積することによって、蓄積された前記医療情報の前記医療情報端末装置からの閲覧を可能にする
医療情報システム。
【請求項２】
前記医療情報端末装置は、医療機関に各々設けられている
請求項１に記載の医療情報システム。
【請求項３】
前記医療機関は、複数の診療標榜科目を有する医療機関、複数の診療標榜科目を有する医療機関の各標榜科目診療機関、単一の診療標榜科目の医療機関、救急搬送車を含む救急医療設備、健康診断を行なう医療機関、人の器官の移植に係わる機関の少なくともいずれかを含む
請求項２に記載の医療情報システム。
【請求項４】
前記医療情報は、個人を特定する情報、血液型、家族・連絡先情報、既往症履歴、アレルギー情報、受診履歴、治療履歴、処方履歴、投薬履歴、救急処置履歴、健康診断結果、診療費用情報、ドナー情報および保険情報の、少なくともいずれかを含む情報である
請求項１に記載の医療情報システム。
【請求項５】
前記医療情報サーバ装置は、さらに、前記医療情報が記憶されている個人または当該個人に係る代理人からの要求に応じて、当該個人に係る前記医療情報を検索し、当該要求者に対応して決定される所定の範囲内の医療情報を出力する
請求項１に記載の医療情報システム。
【請求項６】
前記医療情報端末装置は、さらに所定の地域ごとに各々設けられ、
前記設けられた複数の前記医療情報端末装置と前記医療情報サーバ装置は、前記医療情報を送受信可能な通信ネットワークにより接続されている
請求項５に記載の医療情報システム。
【請求項７】
前記医療情報サーバ装置においては、職務および医療行為を受ける者との関係に基づく医療従事者の所定の区分ごとに、出力する医療情報の範囲が決定されており、前記検索した情報を、当該医療情報の要求を行なった前記医療従事者の前記区分に基づいて決定される所定の範囲内で出力する
請求項１に記載の医療情報システム。
【請求項８】
前記医療従事者の所定の区分は、前記医療行為を受ける者の担当医師、医師、看護婦あるいは救急に医療処置を行なう者の少なくともいずれかを含む
請求項７に記載の医療情報システム。
【請求項９】
前記医療情報サーバ装置は、前記医療情報の要求を行なう者の識別および認証を、前記医療情報端末装置を介して、当該情報要求者が保持する可搬型情報処理媒体の機能を用いて行なう
請求項７に記載の医療情報システム。
【請求項１０】
患者の医療情報を蓄積する医療情報サーバ装置であって、
前記患者の識別情報として少なくとも氏名、生年月日、性別、血液型を蓄積し、医療情報として少なくとも既往症履歴、診療記録、投薬情報を蓄積するデータベースと、
通信ネットワークを介して前記医療情報サーバ装置にアクセスをしてきた要求者が、当該患者の医療従事者か患者本人かを利用者リストと照合することによりチェックする個人認証・照合部と、
前記データベースより読み出した特定の個人の医療情報より、前記要求者の権限に基づいて、出力してよい情報を取捨選択する選択部と
を有し、
前記医療従事者が参照できるように、前記通信ネットワークを介して前記医療情報サーバ装置に接続された医療情報端末装置に前記選択部によって選択された当該患者の前記医療情報を出力し、
当該患者の診察が終了すると、前記医療情報端末装置に入力された前記医療情報を前記データベースに記録し、各医療機関に設置された前記医療情報端末装置から入力された患者に係わる前記医療情報を蓄積することにより、蓄積された前記医療情報の前記医療情報端末装置からの閲覧を可能にする
医療情報サーバ装置。
【請求項１１】
前記個人の医療情報は、個人を特定する情報、血液型、家族・連絡先情報、既往症履歴、アレルギー情報、受診履歴、治療履歴、処方履歴、投薬履歴、救急処置履歴、健康診断結果、診療費用情報、ドナー情報および保険情報の、少なくともいずれかを含む情報である
請求項１０に記載の医療情報サーバ装置。
【請求項１２】
前記要求受信手段は、さらに、前記医療情報が記憶されている個人または当該個人に係る代理人からの当該個人に係る前記医療情報の要求を受信し、
前記情報検索手段は、前記要求された前記個人に係る医療情報を検索し、
前記情報選択手段は、前記検索した医療情報より前記情報の要求者に対応して決定される所定の範囲内の医療情報を選択し、
前記情報送信手段は、前記選択した医療情報を前記通信ネットワークを介して、前記個人または前記代理人に送信する
請求項１０に記載の医療情報サーバ装置。
【請求項１３】
前記情報選択手段においては、職務および医療行為を受ける者との関係に基づく医療従事者の所定の区分ごとに、選択する医療情報の範囲が決定されており、前記検索した医療情報より、当該医療情報の要求を行なった前記医療従事者の前記区分に基づいて決定される所定の範囲内の医療情報を選択する
請求項１０に記載の医療情報サーバ装置。
【請求項１４】
前記医療従事者の所定の区分は、前記医療行為を受ける者の担当医師、医師、看護婦あるいは救急に医療処置を行なう者の少なくともいずれかを含む
請求項１３に記載の医療情報サーバ装置。
【請求項１５】
前記医療情報の要求を行なう者の識別および認証を行なう識別認証手段
をさらに有し、
前記要求受信手段は、前記識別および認証の結果適切と認められた者からの前記医療情報の要求を、実質的に有効に受信する
請求項１０に記載の医療情報サーバ装置。
【請求項１６】
特定の個人の医療情報の要求を入力する要求入力手段と、
前記入力された要求を、通信ネットワークを介して、個人の医療情報を記憶し、要求に応じて要求された医療情報を検索し、情報要求者の権限の範囲内の医療情報を出力する医療情報サーバ装置に送信する要求送信手段と、
前記医療情報サーバ装置より通信ネットワークを介して送信される前記情報を受信する情報受信手段と、
前記受信した医療情報を出力する情報出力手段と、
有し、
診察により得られた診療記録、投薬情報を前記通信ネットワークを介して前記医療情報サーバ装置に送信して記録させることにより医療情報を蓄積させる
医療情報端末装置。
【請求項１７】
前記医療情報の要求を入力する使用者の識別および認証を行なう識別認証手段
をさらに有し、
前記要求入力手段は、前記識別および認証の結果適切と認められた使用者からの前記医療情報の要求を実質的に有効に受け付ける
請求項１６に記載の医療情報端末装置。
【請求項１８】
前記識別認証手段は、前記使用者が保持し少なくとも所有者を特定する情報が記憶された可搬型情報処理媒体より、前記所有者を特定する情報を読み込み、当該情報に基づいて前記識別および認証を行なう
請求項１７に記載の医療情報端末装置。
【請求項１９】
前記識別認証手段は、前記可搬型情報処理媒体より読み込んだ前記所有者を特定する情報を前記医療情報サーバ装置に送信し、当該医療情報サーバ装置に使用者の識別および認証を要求し、前記医療情報サーバ装置より識別および認証結果を受信する
請求項１８に記載の医療情報端末装置。
【請求項２０】
複数の診療標榜科目を有する医療機関、複数の診療標榜科目を有する医療機関の各標榜科目診療機関、単一の診療標榜科目の医療機関、健康診断を行なう医療機関、人の器官の移植に係わる機関の少なくともいずれかを含む医療機関に各々設けられ、医療従事者により使用される
請求項１６に記載の医療情報端末装置。
【請求項２１】
所定の地域ごとに設けられ、前記医療情報サーバ装置に医療情報が記憶されている個人および当該個人の代理人により使用される
請求項１６に記載の医療情報端末装置。
【請求項２２】
救急搬送車を含む救急医療設備に搭載され、緊急時に特定の医療行為を行なう医療従事者により使用される
請求項１６に記載の医療情報端末装置。
【請求項２３】
患者の診察が終了すると、複数の医療機関の医療情報端末装置から送信された前記患者の医療情報を個人ごとに記録して蓄積し、
要求者から患者の医療情報の要求があった場合に、当該要求者が当該患者の医療従事者か患者本人かを利用者リストと照合することによりチェックし、
前記患者に係る蓄積された前記医療情報を、前記要求者の権限の範囲内で提供する
医療情報管理方法。
【請求項２４】
前記各医療機関は、前記医療機関は、複数の診療標榜科目を有する医療機関、複数の診療標榜科目を有する医療機関の各標榜科目診療機関、単一の診療標榜科目の医療機関、救急搬送車を含む救急医療設備、健康診断を行なう医療機関、人の器官の移植に係わる機関の少なくともいずれかを含む
請求項２３に記載の医療情報管理方法。
【請求項２５】
前記個人の医療情報は、個人を特定する情報、血液型、家族・連絡先情報、既往症履歴、アレルギー情報、受診履歴、治療履歴、処方履歴、投薬履歴、救急処置履歴、健康診断結果、診療費用情報、ドナー情報および保険情報の、少なくともいずれかを含む情報である
請求項２３に記載の医療情報管理方法。
【請求項２６】
さらに、前記医療情報が記憶されている個人または当該個人に係る代理人から要求があった場合には、前記蓄積されている当該個人の医療情報を、当該要求者に対応して決定される所定の範囲内で提供する
請求項２３に記載の医療情報管理方法。
【請求項２７】
前記医療従事者の権限は、当該医療従事者の、職務および医療行為を受ける者との関係に基づいて決定される
請求項２３に記載の医療情報管理方法。
【請求項２８】
前記医療従事者の権限は、前記医療行為を受ける者の担当医師、医師、看護婦あるいは救急に医療処置を行なう者の少なくともいずれかを含む医療従事者の区分ごとに決定される
請求項２３に記載の医療情報管理方法。
【請求項２９】
前記医療情報の要求を入力する者の識別および認証を行ない、
前記識別および認証の結果適切と認められた者からの前記医療情報の要求を実質的に有効に受け付ける
請求項２３に記載の医療情報管理方法。